(57)【要約】 【課題】端末装置と、情報蓄積装置とを連携させて、１以上の電子機器を制御させることにより様々なサービスを提供する仕組みにおいて制御させる電子機器を容易に特定するユーザインタフェースを提供する。【解決手段】情報処理装置は、第１の表示制御手段と第１の判定手段と第２の判定手段と第２の表示制御手段とを有する。第１の表示制御手段は、電子機器を利用したサービスの要求に応じて異なる第１の画像と、入力装置によって入力された入力画像とを表示する。第１の判定手段は、入力画像の中に第１の情報が含まれているか否かを判定する。第２の判定手段は、入力画像の中に第１の情報が含まれていると判定された場合、第１の情報から、サービスを提供する電子機器を特定できるか否かを判定する。第２の表示制御手段は、第１の情報から、サービスを提供する電子機器を特定できると判定された場合、電子機器によるサービスを提供可能であることを示す第２の画像を表示する。【選択図】図４
2015001849.tif 000002
【特許請求の範囲】
【請求項１】
電子機器を利用したサービスの要求に応じて異なる第１の画像と、入力装置によって入力された入力画像とを表示する第１の表示制御手段と、
前記第１の画像の所定領域に表示される前記入力画像の中に第１の情報が含まれているか否かを判定する第１の判定手段と、
前記第１の判定手段によって、前記入力画像の中に前記第１の情報が含まれていると判定された場合、前記第１の情報から、前記サービスを提供する電子機器を特定できるか否かを判定する第２の判定手段と、
前記第２の判定手段によって、前記第１の情報から、前記サービスを提供する電子機器を特定できると判定された場合、前記電子機器による前記サービスを提供可能であることを示す第２の画像を表示する第２の表示制御手段と、を有する、
ことを特徴とする情報処理装置。
【請求項２】
前記第１の情報は、前記電子機器のアドレスを示す第１アドレス情報と、前記電子機器が実行可能な１以上の処理を示す能力情報と、を含む、
ことを特徴とする請求項１に記載の情報処理装置。
【請求項３】
前記第２の判定手段は、前記第１の情報に含まれる前記能力情報が示す１以上の処理の中に、前記要求された前記サービスに係る処理が含まれているか否かを判定する、
ことを特徴とする請求項２に記載の情報処理装置。
【請求項４】
前記第２の判定手段は、前記第１の情報に含まれる前記能力情報が示す１以上の処理の中に、前記要求された前記サービスに係る処理が含まれていると判定した場合は、前記第１の情報に含まれる前記第１アドレス情報により特定される前記電子機器を、前記ユーザから要求された前記サービスを提供する前記電子機器として特定できると判定する、
ことを特徴とする請求項３に記載の情報処理装置。
【請求項５】
前記第１の情報は、前記電子機器が実行する処理に係る第２の情報の入出力を行う情報蓄積装置のアドレスを示す第２アドレス情報をさらに含む、
ことを特徴とする請求項３または請求項４に記載の情報処理装置。
【請求項６】
前記第２の判定手段によって、前記第１の情報に含まれる前記能力情報が示す１以上の処理の中に、前記要求された前記サービスに係る処理が含まれていると判定された場合、前記第２アドレス情報により特定される前記情報蓄積装置に対して、前記ユーザから要求された前記サービスに係る処理の実行を要求する要求手段をさらに有する、
請求項５に記載の情報処理装置。
【請求項７】
コンピュータに、
電子機器を利用したサービスの要求に応じて異なる第１の画像と、入力装置によって入力された入力画像とを表示する第１の表示制御ステップと、
前記第１の画像の所定領域に表示される前記入力画像の中に第１の情報が含まれているか否かを判定する第１の判定ステップと、
前記第１の判定ステップによって、前記入力画像の中に前記第１の情報が含まれていると判定された場合、前記第１の情報から、前記サービスを提供する電子機器を特定できるか否かを判定する第２の判定ステップと、
前記第２の判定ステップによって、前記第１の情報から、前記サービスを提供する電子機器を特定できると判定された場合、前記電子機器による前記サービスを提供可能であることを示す第２の画像を表示する第２の表示制御ステップと、を実行させるためのプログラム。
【請求項８】
前記第１の情報は、前記電子機器のアドレスを示す第１アドレス情報と、前記電子機器が実行可能な１以上の処理を示す能力情報と、を含む、
ことを特徴とする請求項７に記載のプログラム。
【請求項９】
前記第２の判定ステップでは、前記第１の情報に含まれる前記能力情報が示す１以上の処理の中に、前記要求された前記サービスに係る処理が含まれているか否かを判定する、
ことを特徴とする請求項８に記載のプログラム。
【請求項１０】
前記第２の判定ステップでは、前記第１の情報に含まれる前記能力情報が示す１以上の処理の中に、前記要求された前記サービスに係る処理が含まれていると判定した場合は、前記第１の情報に含まれる前記第１アドレス情報により特定される前記電子機器を、前記ユーザから要求された前記サービスを提供する前記電子機器として特定できると判定する、
ことを特徴とする請求項９に記載のプログラム。
【請求項１１】
前記第１の情報は、前記電子機器が実行する処理に係る第２の情報の入出力を行う情報蓄積装置のアドレスを示す第２アドレス情報をさらに含む、
ことを特徴とする請求項９または請求項１０に記載のプログラム。
【請求項１２】
前記第２の判定ステップによって、前記第１の情報に含まれる前記能力情報が示す１以上の処理の中に、前記要求された前記サービスに係る処理が含まれていると判定された場合、前記第２アドレス情報により特定される前記情報蓄積装置に対して、前記ユーザから要求された前記サービスに係る処理の実行を要求する要求ステップをさらに有する、
ことを特徴とする請求項１１に記載のプログラム。
【発明の詳細な説明】
【技術分野】
【０００１】
本発明は、情報処理装置およびプログラムに関する。
【背景技術】
【０００２】
従来、例えばファイルサーバに記憶されているデータをプリンタで印刷させようとすると、ファイルサーバとプリンタとの間のデータ変換が規定されていないため、プリンタが処理不可能なデータについては印刷することができないという課題が存在した。このような課題を解決する制御システムは従来から知られている（例えば特許文献１参照）。
【発明の概要】
【発明が解決しようとする課題】
【０００３】
近年、ユーザは電子データを出力するプリンタ、複合機、プロジェクタなどの様々な電子機器や、携帯電話、スマートフォン、タブレット端末などの様々な端末装置を利用するようになっている。これら電子機器や端末装置を利用する形態（システム）では様々な電子機器と端末装置とが連携することにより利用価値の向上が期待される。
【０００４】
しかしながら、従来においては、端末装置と、電子機器が実行する処理に係る電子データの入出力を行う情報蓄積装置とを連携させて、１以上の電子機器を制御させることにより様々なサービスを提供する仕組みが存在しなかった。そして、そのような仕組みにおいて制御させる電子機器を用意に特定するユーザインタフェースも考慮されていなかった。
【０００５】
本発明は、上記に鑑みてなされたものであって、端末装置と、情報蓄積装置とを連携させて、１以上の電子機器を制御させることにより様々なサービスを提供する仕組みにおいて制御させる電子機器を容易に特定するユーザインタフェースを提供可能な情報処理装置およびプログラムを提供することを目的とする。
【課題を解決するための手段】
【０００６】
上述した課題を解決し、目的を達成するために、本発明は、電子機器を利用したサービスの要求に応じて異なる第１の画像と、入力装置によって入力された入力画像とを表示する第１の表示制御手段と、前記第１の画像の所定領域に表示される前記入力画像の中に第１の情報が含まれているか否かを判定する第１の判定手段と、前記第１の判定手段によって、前記入力画像の中に前記第１の情報が含まれていると判定された場合、前記第１の情報から、前記サービスを提供する電子機器を特定できるか否かを判定する第２の判定手段と、前記第２の判定手段によって、前記第１の情報から、前記サービスを提供する電子機器を特定できると判定された場合、前記電子機器による前記サービスを提供可能であることを示す第２の画像を表示する第２の表示制御手段と、を有することを特徴とする情報処理装置である。
【発明の効果】
【０００７】
本発明によれば、端末装置と、情報蓄積装置とを連携させて、１以上の電子機器を制御させることにより様々なサービスを提供する仕組みに特化した端末装置のＵＩを提供することができる。
【図面の簡単な説明】
【０００８】
【図１】図１は、実施形態に係る入出力システムの一例の構成図である。
【図２】図２は、実施形態に係るコンピュータシステムの一例のハードウェア構成図である。
【図３】図３は、実施形態に係る情報蓄積装置の一例の処理ブロック図である。
【図４】図４は、実施形態に係る携帯端末の機能構成例を示すブロック図である。
【図５】図５は、実施形態に係る入出力システムの処理手順の一例を示すシーケンス図である。
【図６】図６は、実施形態に係るアップロード画面の一例を示す図である。
【図７】図７は、実施形態に係るフォルダ選択画面の一例を示す図である。
【図８】図８は、実施形態に係る読み取り設定画面の一例を示す図である。
【図９】図９は、実施形態に係るＱＲコード（登録商標）読み取り画面の一例を示す図である。
【図１０】図１０は、実施形態に係るＱＲコード読み取り画面の一例を示す図である。
【図１１】図１１は、実施形態に係るＱＲコード読み取り画面の一例を示す図である。
【図１２】図１２は、実施形態に係るメイン画面の一例を示す図である。
【図１３】図１３は、実施形態に係る携帯端末の処理動作の一例を示すフローチャートである。
【図１４】図１４は、変形例のメイン画面の一例を示す図である。
【図１５】図１５は、変形例のＱＲコード読み取り画面の一例を示す図である。
【図１６】図１６は、変形例のメイン画面の一例を示す図である。
【図１７】図１７は、変形例のＱＲコード読み取り画面の一例を示す図である。
【図１８】図１８は、変形例のＱＲコード読み取り画面の一例を示す図である。
【図１９】図１９は、変形例のＱＲコード読み取り画面の一例を示す図である。
【図２０】図２０は、変形例のＱＲコード読み取り画面の一例を示す図である。
【図２１】図２１は、変形例のＱＲコード読み取り画面の一例を示す図である。
【発明を実施するための形態】
【０００９】
以下、添付図面を参照しながら、本発明に係る情報処理装置およびプログラムの実施の形態を詳細に説明する。
【００１０】
図１は、本実施形態に係る入出力システムの構成例を示す図である。図１の例では、情報蓄積装置１０がＬＡＮ（Local  Area  Network）などのネットワークＮ１に接続されている。また、一台以上のスマートフォン１１、一台以上のタブレット端末１２がネットワークＮ１に接続されている。また、一台以上のＭＦＰ（複合機）１３、一台以上のプロジェクタ１４がネットワークＮ１に接続されている。さらに、デジタルカメラ１５、マイク１６、スピーカ１７又は他の情報蓄積装置１８がネットワークＮ１に接続されてもよい。入出力システム１はサービス提供システムの一例である。
【００１１】
ネットワークＮ１は、例えば企業内ネットワークなど、プライベート環境のネットワークを利用できる。スマートフォン１１及びタブレット端末１２はユーザが携帯して操作する携帯端末の一例である。携帯端末は、スマートフォン１１、タブレット端末１２の他、携帯電話、ノートＰＣなど、ユーザが携帯して操作できる装置であればよい。この例では、携帯端末が、請求項の「情報処理装置」に対応している。
【００１２】
ＭＦＰ１３及びプロジェクタ１４は電子データの入出力（例えば印刷、スキャン、投影など）を行う電子機器の一例である。また、デジタルカメラ１５、マイク１６、スピーカ１７も電子データの入出力を行う電子機器の一例である。電子機器はＭＦＰ１３及びプロジェクタ１４などの他、プリンタ、スキャナ、複写機、画像表示装置など、電子データの入出力を行う装置であればよい。
【００１３】
ＭＦＰ１３は、画像処理装置の一例である。ＭＦＰ１３は撮像機能、画像形成機能及び通信機能を備え、プリンタ、ファクシミリ、スキャナ、複写機として利用可能である。ＭＦＰ１３はＷｅｂブラウザ機能を持ち、情報蓄積装置１０内にあるＨＴＭＬデータを描画してＵＩを表示する。さらに、ＭＦＰ１３はＵＩ上でＪａｖａ（登録商標）ｓｃｒｉｐｔプログラムを動作させることで、ユーザからの印刷、スキャンなどの要求を受け付けることができる。プロジェクタ１４は画像投影装置の一例である。プロジェクタ１４は投影機能及び通信機能を備える。
【００１４】
情報蓄積装置１０は、ＭＦＰ１３やプロジェクタ１４で処理できないような高機能処理の実行や、ファイルサーバとしての処理の実行を行う。なお、情報蓄積装置１０は、スマートフォン１１やタブレット端末１２などの端末装置と連携して、ＭＦＰ１３やプロジェクタ１４等の電子機器が実行する処理に係る電子データ（請求項の「第２の情報」に対応）の入出力を行う。なお、情報蓄積装置１０は複数のコンピュータに分散して構成するようにしてもよい。
【００１５】
（ハードウェア構成）
情報蓄積装置１０は、例えば図２に示すハードウェア構成のコンピュータシステムにより実現される。なお、スマートフォン１１やタブレット端末１２などの携帯端末も図２に示すハードウェア構成を含む構成である。図２は、本実施形態に係るコンピュータシステムの一例のハードウェア構成図である。
【００１６】
図２のコンピュータシステム１００は、入力装置１０１、表示装置１０２、外部Ｉ／Ｆ１０３、ＲＡＭ１０４、ＲＯＭ１０５、ＣＰＵ１０６、通信Ｉ／Ｆ１０７及びＨＤＤ１０８などを備え、それぞれがバスＢで相互に接続されている。入力装置１０１はキーボードやマウスなどを含み、コンピュータシステム１００に各操作信号を入力するために用いられる。
【００１７】
表示装置１０２はディスプレイなどを含み、コンピュータシステム１００による処理結果を表示する。通信Ｉ／Ｆ１０７はコンピュータシステム１００をネットワークＮ１に接続するインターフェースである。これにより、コンピュータシステム１００は通信Ｉ／Ｆ１０７を介して、他の携帯端末、電子機器等とデータ通信を行うことができる。なお、携帯端末のハードウェア構成においては、キーボードやマウスなどの入力装置１０１が設けられずに、表示装置１０２は、タッチパネル式のディスプレイ装置（例えばタッチパネル式の液晶ディスプレイ装置）で構成されてもよい。一例として、本実施形態における携帯端末のハードウェア構成としては、表示装置１０２が、タッチパネル式のディスプレイ装置で構成されているものとする。
【００１８】
ＨＤＤ１０８は、プログラムやデータを格納している不揮発性の記憶装置である。格納されるプログラムや各種のデータには、コンピュータシステム１００全体を制御する基本ソフトウェアであるＯＳ（Operating  System）、及び、ＯＳ上において各種機能を提供するアプリケーションソフトウェアなどがある。また、ＨＤＤ１０８は、格納しているプログラムや各種のデータを、所定のファイルシステム及び／又はＤＢ（Data  Base）により管理している。
【００１９】
外部Ｉ／Ｆ１０３は、外部装置とのインターフェースである。外部装置には、記録媒体１０３ａなどがある。これにより、コンピュータシステム１００は外部Ｉ／Ｆ１０３を介して、記録媒体１０３ａの読み取り及び／又は書き込みを行うことができる。なお、記録媒体１０３ａにはフレキシブルディスク、ＣＤ、ＤＶＤ（Digital  Versatile  Disk）、ＳＤメモリカード（SD  Memory  card）、ＵＳＢメモリ（Universal  Serial  Bus memory）等がある。
【００２０】
ＲＯＭ１０５は、電源を切ってもプログラムやデータを保持することができる不揮発性の半導体メモリ（記憶装置）である。ＲＯＭ１０５には、コンピュータシステム１００の起動時に実行されるＢＩＯＳ（Basic Input/Output System）、ＯＳ設定、及びネットワーク設定などのプログラムやデータが格納されている。ＲＡＭ１０４は、プログラムやデータを一時保持する揮発性の半導体メモリ（記憶装置）である。
【００２１】
ＣＰＵ１０６は、ＲＯＭ１０５やＨＤＤ１０８などの記憶装置からプログラムやデータをＲＡＭ１０４上に読み出し、処理を実行することで、コンピュータシステム１００全体の制御や機能を実現する演算装置である。
【００２２】
本実施形態に係るコンピュータシステム１００は、上記ハードウェア構成により、後述するような各種処理を実現できる。
【００２３】
（情報蓄積装置１０のソフトウェア構成）
次に、本実施形態に係る情報蓄積装置１０のソフトウェア構成について説明する。本実施形態に係る情報蓄積装置１０は、例えば図３に示すような処理ブロックで実現される。図３は本実施形態に係る情報蓄積装置の一例の処理ブロック図である。情報蓄積装置１０はプログラムを実行することで、ＯＳ２１、Ｗｅｂサーバ２２、ＰＣブラウザ用ＵＩ２４、ＭＦＰ用ＵＩ２５、ＷｅｂＡｐｉ２６、共有フォルダ２７、ドキュメント管理部２８、Ｗｅｂ制御部２９を実現している。
【００２４】
ＯＳ２１は情報蓄積装置１０のオペレーティングシステムであり、システム全体を制御する。ＯＳ２１は、例えばＷｉｎｄｏｗｓ（登録商標）やＬｉｎｕｘ（登録商標）などである。
【００２５】
Ｗｅｂサーバ２２はＨＴＴＰ（Hyper Text Transfer Protocol）で情報を送受信するソフトウェアである。Ｗｅｂサーバ２２は、Ａｐａｃｈｅ  Ｔｏｍｃａｔ（登録商標）やＩＩＳ（登録商標）などである。
【００２６】
ＰＣブラウザ用ＵＩ２４はＨＴＴＰリクエストによりシステム設定画面を携帯端末に表示する。ユーザはＷｅｂブラウザ（図示せず）を使用して、システム設定画面から設定の変更を行うことができる。
【００２７】
ＭＦＰ用ＵＩ２５はＨＴＴＰリクエストによりコード情報の一例であるＱＲコード（登録商標）の画面をＭＦＰ１３などの電子機器に表示する。ＱＲコードはマトリックス型二次元コードである。また、ＭＦＰ用ＵＩ２５はＨＴＴＰリクエストにより印刷画面の表示やスキャン画面の表示などを行う。ユーザはＭＦＰ１３のＷｅｂブラウザ機能を利用して印刷やスキャンの操作を行うことができる。
【００２８】
ＷｅｂＡｐｉ（Application  Programming  Interface）２６はネットワークＮ１経由で利用可能である。ＷｅｂＡｐｉ２６はＨＴＴＰリクエストを受け付け、ＨＴＴＰリクエストに応じた処理を行い、ＨＴＴＰレスポンスを行う。ＷｅｂＡｐｉ２６はＱＲコードの生成も行う。
【００２９】
ＷｅｂＡｐｉ２６は、スマートフォン１１やタブレット端末１２などの携帯端末からのリクエストを受信するために設けられた予め定義されたインターフェースであり、例えば関数やクラス等により構成される。
【００３０】
また、情報蓄積装置１０のＷｅｂＡｐｉ２６をＳＤＫ（ソフトウェア開発キット）として携帯端末に搭載されるアプリケーションの開発者に提供できる。アプリケーションの開発者はＳＤＫを使用してアプリケーションを開発できる。ＳＤＫは情報蓄積装置１０の提供者以外のサードベンダにも提供できる。サードベンダは提供されたＳＤＫを使用してアプリケーションを開発できる。ＳＤＫを使用して開発されたアプリケーションは携帯端末に搭載できる。
【００３１】
情報蓄積装置１０のＷｅｂＡｐｉをＳＤＫとして提供することにより、携帯端末は情報蓄積装置１０の提供者が開発したアプリケーションだけでなく、サードベンダが開発したアプリケーションも搭載できるようになる。
【００３２】
共有フォルダ２７はＳＭＢ（Server Message Block）プロトコルによりネットワークＮ１上で公開されたフォルダである。ユーザはスマートフォン１１やタブレット端末１２などの携帯端末を用いて、共有フォルダ２７にアクセスできる。
【００３３】
ドキュメント管理部２８は共有フォルダ２７に置かれたファイルを管理し、Ｗｅｂ制御部２９からの要求に応じてデータ変換する処理を行う。なお、本実施形態におけるファイルは電子データの一形態である。Ｗｅｂ制御部２９は、ＷｅｂＡｐｉ２６からの要求に応じてドキュメント管理部２８を制御する処理を行う。
【００３４】
なお、情報蓄積装置１０は大きく分けて２つのプロセスが動作している。１つのプロセスはＷｅｂサーバ２２、ＰＣブラウザ用ＵＩ２４、ＭＦＰ用ＵＩ２５、ＷｅｂＡｐｉ２６を有している。もう１つのプロセスは、共有フォルダ２７、ドキュメント管理部２８、Ｗｅｂ制御部２９を有している。したがって、ＷｅｂＡｐｉ２６とＷｅｂ制御部２９とはプロセス間通信を行う。
【００３５】
（携帯端末のソフトウェア構成）
次に、本実施形態に係る携帯端末のソフトウェア構成について説明する。図４は、本実施形態に係る携帯端末の機能構成例を示すブロック図である。なお、説明の便宜上、図４では、本発明に係る機能を主に例示しているが、携帯端末が有する機能は、これらに限られるものではない。図４に示すように、携帯端末は、通信部３１と、受付部３２と、アップロード画面表示部３３と、ファイル一覧表示部３４と、設定情報表示部３５と、第１の表示制御部３６と、ＱＲコード読取部３７と、解析部３８と、第２の表示制御部３９と、要求部４０と、メイン画面表示部４１と、プレビュー表示部４２とを有する。
【００３６】
通信部３１は、情報蓄積装置１０と通信する機能を有する。例えばアップロード画面表示部３３、ファイル一覧表示部３４、設定情報表示部３５、要求部４０、メイン画面表示部４１などは、通信部３１を利用して、情報蓄積装置１０から情報を取得し、情報蓄積装置１０に処理を要求する。
【００３７】
受付部３２は、各種の入力を受け付ける。この例では、受付部３２は、タッチパネルに対するユーザのタッチ操作に応じた入力を受け付ける。
【００３８】
アップロード画面表示部３３は、ユーザによる操作（この例ではタッチパネルに対するユーザのタッチ操作）に応じて、情報蓄積装置１０にファイルをアップロードするメニューを表示し、情報蓄積装置１０へのアップロードを行う。情報蓄積装置１０へのアップロード方法として、例えばＭＦＰ１３上のＱＲコードを読み取り、そのＭＦＰ１３にスキャンをさせて情報蓄積装置１０へアップロードする方法がある。また、情報蓄積装置１０へのアップロード方法として、例えば携帯端末のデータを情報蓄積装置１０へアップロードする方法がある。さらに、情報蓄積装置１０へのアップロード方法として、例えば携帯端末のカメラ機能により撮影されたデータを情報蓄積装置１０へアップロードする方法がある。
【００３９】
ファイル一覧表示部３４は、ユーザによる操作に応じて、情報蓄積装置１０内にあるファイルの一覧を表示し、ユーザからのファイルの選択を受け付ける。設定情報表示部３５は、ユーザによる操作に応じて、情報蓄積装置１０との接続設定を行ったり、携帯端末の設定情報を表示したりする。
【００４０】
第１の表示制御部３６は、ユーザからの電子機器を利用したサービスの要求に応じて異なる第１の画像と、入力装置によって入力された入力画像とを表示する。ここでは、入力装置とは、携帯端末に搭載された小型のカメラであり、入力画像とは、そのカメラにより撮像された画像である。本明細書において、「撮像」とは、レンズなどの光学系により結像された被写体（撮像対象）の像を、電気信号に変換することを指す。後述するように、この例では、入力画像は、第１の画像の所定領域に表示される。第１の表示制御部３６の詳細な機能については後述する。
【００４１】
ＱＲコード読取部３７は、携帯端末に搭載されたカメラにより撮像された画像（以下、「入力画像」と呼ぶ場合がある）にＱＲコード（携帯端末が読み取り可能なＱＲコード）が含まれているか（映り込んでいるか）否かを判定し、入力画像にＱＲコードが含まれていると判定した場合、そのＱＲコードを読み取る機能を有する。携帯端末が読み取り可能なＱＲコードは、予め不図示のメモリに登録されていてもよい。この例では、ＱＲコード読取部３７は請求項の「第１の判定手段」に対応し、ＱＲコードは請求項の「第１の情報」に対応している。ＱＲコード読取部３７で読み取るＱＲコードには、携帯端末を情報蓄積装置１０へ接続するための登録用ＱＲコード、印刷やスキャンを行わせるＭＦＰ１３を特定するためのＱＲコード、投影を行わせるプロジェクタ１４を特定するためのＱＲコードなどがある。
【００４２】
解析部３８は、ＱＲコード読取部３７によって、入力画像にＱＲコードが含まれていると判定された場合（つまり、ＱＲコード読取部３７によってＱＲコードが読み取られた場合）、ＱＲコード読取部３７によって読み取られたＱＲコードを解析して、ユーザから要求されたサービスを提供する電子機器を特定できるか否かを判定する。解析部３８の詳細な機能については後述する。この例では、「解析部３８」は、請求の「第２の判定手段」に対応している。
【００４３】
第２の表示制御部３９は、解析部３８によって、ＱＲコード読取部３７によって読み取られたＱＲコードから、ユーザから要求されたサービスを提供する電子機器を特定できると判定された場合、電子機器によるサービスを提供可能であることを示す第２の画像を表示する。第２の表示制御部３９の詳細な機能については後述する。
【００４４】
要求部４０は、解析部３８によって、ＱＲコード読取部３７によって読取られたＱＲコードから、ユーザから要求されたサービスを提供する電子機器を特定できると判定された場合、情報蓄積装置１０に対して、ユーザから要求されたサービスに係る処理の実行を要求する。要求部４０の詳細な機能については後述する。
【００４５】
メイン画面表示部４１は、ユーザの操作に応じて、メイン画面を表示する制御を行う。メイン画面表示部４１の詳細な機能については後述する。プレビュー表示部４２は、ファイル一覧表示部３４により表示されたファイルの一覧からユーザがファイルを選択すると、選択されたファイルのプレビュー表示を行う。
【００４６】
以上に説明した携帯端末の各部の機能（通信部３１、受付部３２、アップロード画面表示部３３、ファイル一覧表示部３４、設定情報表示部３５、第１の表示制御部３６、ＱＲコード読取部３７、解析部３８、第２の表示制御部３９、要求部４０、メイン画面表示部４１、および、プレビュー表示部４２）は、図２に示すＣＰＵ１０６が、ＲＡＭ１０４をワークエリア（作業領域）としてＲＯＭ１０５またはＨＤＤ１０８等に格納されたプログラムを実行することにより実現されるが、これに限らず、例えば上記各部の機能のうちの少なくとも一部が専用のハードウェア回路（例えば半導体集積回路等）で実現されてもよい。
【００４７】
（処理の詳細）
以下では、本実施形態に係る入出力システム１の処理の詳細について説明する。ここでは、一例として、スマートフォン１１を経由してＭＦＰ１３にスキャンを実行させる場合（ユーザから要求されたサービス（電子機器を利用したサービス）が、ＭＦＰ１３を利用したスキャン処理である場合）の処理について説明する。図５は、この場合における入出力システム１の処理手順の一例を示すシーケンス図である。
【００４８】
図５に示すように、ステップＳ１において、ユーザはＭＦＰ１３を操作して、ＱＲコード画面の表示を要求する。ユーザからＱＲコード画面表示要求があると、ＭＦＰ１３はステップＳ２において情報蓄積装置１０にＱＲコード画面を要求し、ＱＲコード画面を取得する。また、ＭＦＰ１３はステップＳ３において、情報蓄積装置１０にＱＲコードを要求し、ＱＲコードを取得する。ＭＦＰ１３はＱＲコードを含むＱＲコード画面を表示する。情報蓄積装置１０は、ＭＦＰ１３やプロジェクタ１４などの電子機器ごとに、当該電子機器に対応するＱＲコード画面およびＱＲコードを生成する機能を有している。
【００４９】
ＱＲコード画面に表示されるＱＲコードには、ＱＲコードを生成した情報蓄積装置１０のＩＰアドレスと、ＱＲコードを表示している電子機器（この例ではＭＦＰ１３）のＩＰアドレスと、電子機器の能力情報と、が含まれている。電子機器の能力情報は、印刷が可能なのか、投影が可能なのか、スキャンが可能なのか、などの電子機器で実行可能な処理を示す情報である。例えばＱＲコードを表示しているＭＦＰ１３がスキャン機能を有している場合、当該ＱＲコードには、ＭＦＰ１３が実行可能な処理としてスキャン処理を示す能力情報が含まれている。
【００５０】
ステップＳ４において、ユーザはスマートフォン１１を操作し、アップロード画面の表示を要求する。このユーザによる操作に応じて、スマートフォン１１（アップロード画面表示部３３）は、アップロード画面をタッチパネル上に表示する。図６はアップロード画面の一例を示すイメージ図である。ステップＳ５において、アップロード画面のアップロード先設定ボタン１００１が押下されると、スマートフォン１１（ファイル一覧表示部３４）は、情報蓄積装置１０にアップロードできるフォルダの一覧を要求し、フォルダ一覧を取得する。スマートフォン１１（ファイル一覧表示部３４）は、例えば図７に示すようなフォルダ選択画面をタッチパネル上に表示する。図７はフォルダ選択画面の一例のイメージ図である。
【００５１】
ステップＳ６において、ユーザはスマートフォン１１を操作し、図７のフォルダ選択画面のフォルダ一覧からアップロード先のフォルダを選択する。ステップＳ７において、ユーザは、図６のアップロード画面の「読み取り設定」ボタン１００２を押下する。「読み取り設定」ボタン１００２が押下されると、スマートフォン１１（設定情報表示部３５）は、図８に示すような読み取り設定画面を表示する。
【００５２】
図８は読み取り設定画面の一例のイメージ図である。ユーザはスマートフォン１１を操作し、図８の読み取り設定画面にスキャン条件を設定する。図８の読み取り設定画面ではスキャン条件の一例として原稿種類、解像度、原稿面、原稿セット方向、白紙除去、原稿セット方向、ファイル形式、両面原稿最終ページなどが設定できる。
【００５３】
ＭＦＰ１３はＱＲコードを含むＱＲコード画面を表示している間、ＱＲコードを使用したスキャン要求があるかを情報蓄積装置１０へポーリングして問い合わせる。スキャン要求を情報蓄積装置１０に問い合わせる処理はバックグラウンド処理である。ステップＳ８において、ＭＦＰ１３はスキャン要求を情報蓄積装置１０に問い合わせたが、情報蓄積装置１０からスキャン要求無しが返されている。
【００５４】
なお、図５のシーケンス図に示しているステップＳ１〜Ｓ３のＱＲコード画面を表示する処理、ステップＳ４〜Ｓ６のアップロード先のフォルダを選択する処理、ステップＳ７のスキャン条件を設定する処理の順序は一例であり、順序を変更してもよい。
【００５５】
ステップＳ９において、ユーザはスマートフォン１１を操作し、図６のアップロード画面の「ＱＲコードでＭＦＰを指定」ボタン１００３を押下することで、ＱＲコードを用いたスキャンを選択する。見方を変えれば、スマートフォン１１は、ユーザからの、電子機器（この場合はＭＦＰ１３）を利用したスキャンサービスの要求を受け付けると捉えることもできる。
【００５６】
「ＱＲコードでＭＦＰを指定」ボタン１００３が押下されると、スマートフォン１１（第１の表示制御部３６）は、図９に示すようなＱＲコード読み取り画面を表示する。図９はＱＲコード読み取り画面の一例のイメージ図である。ＱＲコード読み取り画面には、ユーザから要求された電子機器を利用したサービスごとに異なる第１の画像１１００と、携帯端末に搭載されたカメラにより撮像された入力画像１１０１とが表示される。この例では、入力画像１１０１は、第１の画像１１００の所定領域に表示されていると捉えることができる。例えば入力画像１１０１の上に第１の画像１１００が重畳され、入力画像１１０１の一部（例えば中央部分）が、第１の画像１１００の所定領域から露出して表示される形態であってもよい。
【００５７】
図９に例示された第１の画像１１００は、ユーザが、図６のアップロード画面の「ＱＲコードでＭＦＰを指定」ボタン１００３を押下した場合、つまり、電子機器を利用したサービスとして、ＭＦＰ１３にスキャンを行わせるサービスが要求された場合に対応する画像である。この第１の画像は、ユーザから要求されたサービス（電子機器を利用したサービス）に応じて異なる画像となる。図９の例では、第１の画像１１００は、ＭＦＰ１３を利用したスキャンサービスの手順を示す画像であるが、これに限らず、各サービスに対応する第１の画像の態様は任意である。
【００５８】
図５のステップＳ１０において、ユーザは、ＭＦＰ１３が表示しているＱＲコード画面上のＱＲコードが、ＱＲコード読み取り画面内の入力画像に映り込むように、スマートフォン１１を、ＭＦＰ１３が表示しているＱＲコード画面上のＱＲコードにかざす。
【００５９】
スマートフォン１１（ＱＲコード読取部３７）は、入力画像に映り込んだＱＲコードが、スマートフォン１１が読み取り可能なＱＲコードであると判定した場合は、入力画像に表示されたＱＲコードを読み取る。なお、読み取ったＱＲコードには、前述したように、スキャンデータの送信先となる情報蓄積装置１０のＩＰアドレス（以下、「第２のＩＰアドレス」と称する場合がある）、スキャンデータの送信元となるＭＦＰ１３のＩＰアドレス（以下、「第１のＩＰアドレス」と称する場合がある）及びＭＦＰ１３の能力情報が含まれている。この例では、第１のＩＰアドレスは請求項の「第１のアドレス情報」に対応し、第２のＩＰアドレスは請求項の「第２のアドレス情報」に対応している。
【００６０】
ＱＲコードを読み取った場合、スマートフォン１１は、図１０に示すように、ＱＲコードの読み取りが完了したことを知らせる第３の画像１１０２を入力画像１１０１に重畳して表示する。なお、第３の画像１１０２の態様は、図１０の例に限られるものではない。第３の画像１１０２は、ＱＲコードの読み取りが完了したことを知らせるのに利用可能な画像であればよい。
【００６１】
スマートフォン１１（解析部３８）は、ＱＲコードに含まれている能力情報が示す１以上の処理（ＭＦＰ１３が実行可能な１以上の処理）の中に、ステップＳ９においてユーザが選択したスキャン処理（ユーザから要求されたサービスに係る処理の一例）が含まれているかを判定する。
【００６２】
ＱＲコードに含まれている能力情報が示す１以上の処理の中に、スキャン処理が含まれていると判定した場合は、スマートフォン１１（解析部３８）は、当該ＱＲコードに含まれる第１のＩＰアドレスにより特定されるＭＦＰ１３を、ユーザから要求されたサービスを提供する電子機器として特定できると判定し、処理を継続する。なお、当該ＱＲコードに含まれている能力情報が示す１以上の処理の中に、スキャン処理が含まれていないと判定した場合は、スマートフォン１１は、エラーを表示して終了する。なお、スマートフォン１１はエラーを表示したあと、再度、ＱＲコード読み取り画面を表示し、その後に読み取られたＱＲコードに含まれている能力情報が示す１以上の処理の中に、スキャン処理が含まれていると判断するまで、ＱＲコード読み取り画面の表示を継続するようにしてもよい。
【００６３】
以下、ＱＲコードに含まれている能力情報が示す１以上の処理の中に、スキャン処理が含まれていると判定した場合におけるステップＳ１０以降の処理を説明する。ステップＳ１１において、スマートフォン１１（第２の表示制御部３９）は、図１１に示すように、ＭＦＰ１３を利用したスキャンサービスを提供可能であることを示す第２の画像１１０３を表示する。図１１の例では、第２の画像１１０３は、ＱＲコード読み取り画面のうち、スキャンサービスの開始を報知する旨を表す画像が表示される領域１１１０の色が、図９および図１０とは異なる色に設定された画像であるが、これに限らず、第２の画像の態様は任意である。要するに、第２の画像は、ＭＦＰ１３を利用したスキャンサービスを提供可能であることを示す画像であればよい。
【００６４】
ステップＳ１２において、スマートフォン１１（要求部４０）は、スキャンデータの送信先となる情報蓄積装置１０のＩＰアドレス（ＱＲコードに含まれる第２のＩＰアドレス）を利用し、アップロード先のフォルダ、スキャン条件を含むスキャン要求を、情報蓄積装置１０に対して行う。なお、スキャン要求の中には、ユーザから要求されたサービスを行わせる電子機器を特定する情報として、ＱＲコードに含まれていた第１のＩＰアドレスが含まれていてもよい。
【００６５】
ステップＳ１３において、ＭＦＰ１３はステップＳ８と同様、ＱＲコードを使用したスキャン要求があるかを情報蓄積装置１０へポーリングして問い合わせる。ＭＦＰ１３はスキャン要求を情報蓄積装置１０に問い合わせ、情報蓄積装置１０からスキャン要求有りがアップロード先のフォルダ、スキャン条件と共に返される。ＭＦＰ１３はステップＳ１４において、スキャン条件に従ってスキャンを実行する。ステップＳ１５において、ＭＦＰ１３は情報蓄積装置１０のアップロード先のフォルダにスキャンデータを保存する。
【００６６】
ステップＳ１４、Ｓ１５はスキャンされる原稿のページ数分、繰り返される。スキャンデータは、カラーか白黒かによって、ＪＰＥＧ形式かＴＩＦＦ形式の何れかになる。原稿の全てのページのスキャンが終了すると、ステップＳ１６において、ＭＦＰ１３は情報蓄積装置１０にスキャンデータ変換要求を行う。
【００６７】
ステップＳ１７において、情報蓄積装置１０はＭＦＰ１３から送られていたページ毎のスキャンデータを一つにまとめ、ＰＤＦ形式のスキャンファイルに変換する。ステップＳ１７において変換されるデータ形式はＰＤＦ形式に限定されるものではない。ステップＳ１７において変換されるデータ形式はスキャンデータを一つにまとめるデータ形式や、スマートフォン１１で表示可能なデータ形式等である。
【００６８】
ステップＳ１８において、ユーザはスマートフォン１１を操作し、スキャンファイルを選択するために例えば図１２に示すようなメイン画面の表示を要求する。このユーザによる操作に応じて、メイン画面表示部４１は、メイン画面をタッチパネル上に表示する制御を行う。図１２はメイン画面の一例のイメージ図である。
【００６９】
ユーザからメイン画面の表示を要求されると、スマートフォン１１（ファイル一覧表示部３４）は、ステップＳ１９において情報蓄積装置１０にファイルの一覧を要求し、ファイル一覧を取得する。ステップＳ１９において、スマートフォン１１（メイン画面表示部４１）は、例えば図１２に示すような、ファイル一覧１２０１を含むメイン画面を表示する。
【００７０】
ステップＳ２０において、ユーザはスマートフォン１１を操作し、図１２のファイル一覧１２０１からファイル（ここではスキャンファイル）を選択する。ステップＳ２１において、スマートフォン１１はユーザに選択されたファイルのダウンロードを情報蓄積装置１０に要求し、スキャンファイルを取得する。そして、スマートフォン１１（プレビュー表示部４２）は、ダウンロードしたスキャンファイルのプレビューを表示する。
【００７１】
（携帯端末の処理動作）
次に、携帯端末の処理動作を説明する。ここでは、前述のスマートフォン１１の処理動作を例に挙げて説明する。図１３は、ユーザが、ＱＲコードを用いたスキャンを選択する場合（ＭＦＰ１３を利用したスキャンサービスを要求する場合）のスマートフォン１１の動作例を示すフローチャートである。説明の便宜上、ＱＲコード画面を表示する処理、アップロード先のフォルダを選択する処理、スキャン条件を設定する処理が完了していることを前提として説明する。
【００７２】
まず、ユーザが、図６のアップロード画面の「ＱＲコードでＭＦＰを指定」ボタン１００３を押下すると、スマートフォン１１（第１の表示制御部３６）は、図９に示すようなＱＲコード読み取り画面を表示する（ステップＳ１０１）。次に、ユーザは、ＭＦＰ１３が表示しているＱＲコード画面上のＱＲコードが、ＱＲコード読み取り画面内の入力画像に映り込むように、スマートフォン１１を、ＭＦＰ１３が表示しているＱＲコード画面上のＱＲコードにかざす。そして、スマートフォン１１（ＱＲコード読取部３７）は、入力画像にＱＲコード（スマートフォン１１が読み取り可能なＱＲコード）が含まれているか否かを判定する（ステップＳ１０２）。
【００７３】
ステップＳ１０２において、入力画像にＱＲコードが含まれていると判定した場合（ステップＳ１０２：ＹＥＳ）、スマートフォン１１（ＱＲコード読取部３７）は、入力画像に含まれているＱＲコードを読み取る（ステップＳ１０３）。次に、スマートフォン１１（解析部３８）は、ステップＳ１０３で読み取ったＱＲコードに含まれる能力情報が示す１以上の処理（ＭＦＰ１３が実行可能な１以上の処理）の中に、スキャン処理が含まれているか否かを判定する（ステップＳ１０４）。ステップＳ１０３で読み取ったＱＲコードに含まれる能力情報が示す１以上の処理の中に、スキャン処理が含まれていないと判定された場合（ステップＳ１０４：ＮＯ）、処理は終了する。一方、ステップＳ１０３で読み取ったＱＲコードに含まれる能力情報が示す１以上の処理の中に、スキャン処理が含まれていると判定した場合（ステップＳ１０４：ＹＥＳ）、スマートフォン１１（第２の表示制御部３９）は、図１１に示すように、ＭＦＰ１３を利用したスキャンサービスを提供可能であることを示す第２の画像１１０３を表示する（ステップＳ１０５）。
【００７４】
そして、スマートフォン１１（要求部４０）は、スキャンデータの送信先となる情報蓄積装置１０のＩＰアドレス（ＱＲコードに含まれる第１のＩＰアドレス）を利用し、アップロード先のフォルダ、スキャン条件を含むスキャン要求を、情報蓄積装置１０に対して行う（ステップＳ１０６）。
【００７５】
以上に説明したように、本実施形態では、例えばＭＦＰ１３を利用したスキャンサービスを要求するユーザが、スマートフォン１１を操作して、図６のアップロード画面の「ＱＲコードでＭＦＰを指定」ボタン１００３を押下した場合、図９に示すように、ＭＦＰ１３を利用したスキャンサービスに対応する第１の画像１１００と、入力画像１１０１とを含むＱＲコード読み取り画面が表示される。そして、ユーザが、スマートフォン１１に表示された入力画像１１０１に、ＭＦＰ１３に表示されたＱＲコードが映り込むように、スマートフォン１１をＭＦＰ１３にかざすと、ＱＲコードを表示しているＭＦＰ１３がスキャン機能を有している場合は、図１１に示すように、ＭＦＰ１３を利用したスキャンサービスを提供可能であることを示す第２の画像１１０３が表示され、同時に、ＭＦＰ１３を利用したスキャンサービスが開始される。すなわち、本実施形態によれば、携帯端末と、情報蓄積装置１０とを連携させて、１以上の電子機器を制御させることにより様々なサービスを提供する仕組みに特化した携帯端末のＵＩを提供することが可能になる。
【００７６】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７７】
（変形例）
以下、変形例を記載する。以下の変形例同士は任意に組み合わせることもできる。また、以下の変形例は、上述の実施形態と任意に組み合わせることもできる。
【００７８】
・  変形例１
電子機器を利用したサービスとして、例えばＭＦＰ１３を利用した印刷サービスや、プロジェクタ１４を利用した投影サービスが要求された場合も、上述の実施形態と同様に考えることができる。
【００７９】
例えば、スマートフォン１１を経由してＭＦＰ１３に印刷を実行させる場合（ユーザが、ＭＦＰ１３を利用した印刷サービスを要求する場合）、ユーザはスマートフォン１１を操作し、情報蓄積装置１０に保持された印刷対象のファイルを選択するために例えば図１２に示すメイン画面の表示を要求する。次に、ユーザはスマートフォン１１を操作し、図１２のファイル一覧１２０１からファイルを選択する。次に、ユーザはスマートフォン１１を操作し、図１４に示すメイン画面の「ＱＲコードでプリンタを指定」ボタン１２１０を押下することでＭＦＰ印刷を選択する。「ＱＲコードでプリンタを指定」ボタン１２１０が押下されると、スマートフォン１１は図１５に示すようなＱＲコード読み取り画面を表示する。このＱＲコード読み取り画面には、ＭＦＰ１３を利用した印刷サービスに対応する第１の画像１２１１と、入力画像１２１２とが表示される。
【００８０】
また例えば、スマートフォン１１を経由してプロジェクタ１４に投影を実行させる場合（ユーザが、プロジェクタ１４を利用した投影サービスを要求する場合）、ユーザはスマートフォン１１を操作し、情報蓄積装置１０に保持された投影対象のファイルを選択するために例えば図１２に示すメイン画面の表示を要求する。次に、ユーザはスマートフォン１１を操作し、図１２のファイル一覧１２０１からファイルを選択する。次に、ユーザはスマートフォン１１を操作し、図１６のメイン画面の「ＱＲコードでプロジェクタを指定」ボタン１３００を押下することでプロジェクタ投影を選択する。「ＱＲコードでプロジェクタを指定」ボタン１３００が押下されると、スマートフォン１１は図１７に示すようなＱＲコード読み取り画面を表示する。このＱＲコード読み取り画面には、プロジェクタ１４を利用した投影サービスに対応する第１の画像１３０１と、入力画像１３０２とが表示される。
【００８１】
・  変形例２
スマートフォン１１などの小型の携帯端末は、表示ディスプレイのサイズに限界があるため、このような小型の携帯端末においては、上述のＱＲコード読み取り画面が分割されて表示されてもよい。例えばユーザが、図６のアップロード画面の「ＱＲコードでＭＦＰを指定」ボタン１００３を押下すると、スマートフォン１１は、図１８に示すような、ＭＦＰ１３の操作パネルに「ＱＲコード」を表示させることを促す画像１４００（ＭＦＰ１３を利用したスキャンサービスに対応する第１の画像であると捉えることもできる）を表示する。次に、ユーザが、次の画面への遷移を指示するボタン１４０１を押下すると、スマートフォン１１は、図１９に示すような、ＭＦＰ１３に表示されたＱＲコードを入力画像が表示される枠に合わせることを促す画像１４０２（第１の画像であると捉えることができる）と、入力画像１４０３とを表示する。
【００８２】
次に、ユーザは、ＭＦＰ１３が表示しているＱＲコード画面上のＱＲコードが、入力画像１４０３に映り込むように、スマートフォン１１を、ＭＦＰ１３が表示しているＱＲコード画面上のＱＲコードにかざす。ＭＦＰ１３が表示しているＱＲコードの読み取りが完了した場合、スマートフォン１１は、図２０に示すように、ＱＲコードの読み取りが完了したことを知らせる第３の画像１４０４を入力画像１４０３に重畳して表示する。そして、読み取ったＱＲコードから、ユーザから要求されたサービスを提供するＭＦＰ１３を特定できると判定した場合、図２１に示すように、スマートフォン１１は、ＭＦＰ１３を利用したスキャンサービスを提供可能であることを示す第２の画像１４０５を表示する。
【００８３】
（プログラム）
上述した実施形態の入出力システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００８４】
１      入出力システム
１０    情報蓄積装置
１１    スマートフォン
１２    タブレット端末
１４    プロジェクタ
３１    通信部
３２    受付部
３３    アップロード画面表示部
３４    ファイル一覧表示部
３５    設定情報表示部
３６    第１の表示制御部
３７    ＱＲコード読取部
３８    解析部
３９    第２の表示制御部
４０    要求部
４１    メイン画面表示部
４２    プレビュー表示部
１００  コンピュータシステム
【先行技術文献】
【特許文献】
【００８５】
【特許文献１】特開２００５−２９２９０３号公報
【図１】
2015001849.tif 000003
【図２】
2015001849.tif 000004
【図３】
2015001849.tif 000005
【図４】
2015001849.tif 000006
【図５】
2015001849.tif 000007
【図６】
2015001849.tif 000008
【図７】
2015001849.tif 000009
【図８】
2015001849.tif 000010
【図９】
2015001849.tif 000011
【図１０】
2015001849.tif 000012
【図１１】
2015001849.tif 000013
【図１２】
2015001849.tif 000014
【図１３】
2015001849.tif 000015
【図１４】
2015001849.tif 000016
【図１５】
2015001849.tif 000017
【図１６】
2015001849.tif 000018
【図１７】
2015001849.tif 000019
【図１８】
2015001849.tif 000020
【図１９】
2015001849.tif 000021
【図２０】
2015001849.tif 000022
【図２１】
2015001849.tif 000023